(57)【要約】【課題】厚さが薄く、組み立てが簡単な表示装置を提供する。【解決手段】表示装置は、内部に収納空間を形成し、前面と背面のうちの少なくとも１つが開放されてディスプレイ領域を定義し、一側に収納空間と外部とを連通するスリットが形成されているケースと、ケースのスリットを通過して収納空間にスライド収納される有機電界発光パネルとを含むことを特徴とする。【選択図】図２
2007122053.tif 000002
【特許請求の範囲】
【請求項１】
内部に収納空間を形成し、前面と背面のうちの少なくとも１つが開放されてディスプレイ領域を定義し、一側に前記収納空間と外部とを連通するスリットが形成されているケースと、
前記ケースの前記スリットを通過して前記収納空間にスライド収納される有機電界発光パネルと、
を含む表示装置。
【請求項２】
前記有機電界発光パネルに接続されている駆動部をさらに含み、
前記駆動部の少なくとも一部は前記スリットを通じて前記ケース外部に露出されていることを特徴とする、請求項１に記載の表示装置。
【請求項３】
収納された前記有機電界発光パネルが収納方向の逆方向に移動できないように、前記有機電界発光パネルを固定するストッパを含むことを特徴とする、請求項１に記載の表示装置。
【請求項４】
前記ストッパは、前記スリットに隣接した前記有機電界発光パネルの側辺と接触することを特徴とする、請求項３に記載の表示装置。
【請求項５】
前記ストッパは、前記ケースの背面から前記収納空間に向けて突出している係止部を含むことを特徴をする、請求項４に記載の表示装置。
【請求項６】
前記ストッパは、前記有機電界発光パネルを上下方向に加圧することを特徴とする、請求項３に記載の表示装置。
【請求項７】
前記ストッパは、前記ケースの板面から前記収納空間に向けて突出している突起を含むことを特徴とする、請求項６に記載の表示装置。
【請求項８】
前記ケースには前記有機電界発光パネルが挿入される時、挿入方向と平行な前記有機電界発光パネルの両辺をガイドするためのガイド部が形成されていることを特徴とする、請求項１に記載の表示装置。
【請求項９】
前記ディスプレイ領域は前記前面と背面のうちのいずれか１つに形成され、
前記前面と前記背面のうちの他の１つは、前記有機電界発光パネルを遮蔽する遮蔽領域を形成することを特徴とする、請求項１に記載の表示装置。
【請求項１０】
前記遮蔽領域には貫通孔が形成されていることを特徴とする、請求項９に記載の表示装置。
【請求項１１】
前記ディスプレイ領域は前記前面及び背面に全て形成されることを特徴とする、請求項１に記載の表示装置。
【請求項１２】
前記ケースは一体に形成されたことを特徴とする、請求項１に記載の表示装置。
【請求項１３】
前記ケースはプラスチック材質からなることを特徴とする、請求項１に記載の表示装置。
【発明の詳細な説明】
【技術分野】
【０００１】
本発明は表示装置に係り、より詳しくは、電界有機発光パネルがケースにスライド方式により挿入される表示装置に関する。
【背景技術】
【０００２】
平板ディスプレイ装置(flat panel display)のうち、低電圧駆動、軽量薄型、広視野角、及び高速応答などの長所によって、最近、有機電界発光装置(organic light emitting diode device：OLED)が脚光を浴びている。ＯＬＥＤ装置は駆動方式によって受動型(passive matrix)と能動型(active matrix)に分けられる。このうち、受動型は製造過程は簡単であるが、ディスプレイ面積と解像度が増加するほど消費電力が急激に増加するという問題がある。従って、受動型は主に小型ディスプレイに応用されている。反面、能動型は製造過程は複雑であるが、大画面と高解像度を実現することができる長所がある。
【０００３】
有機電界発光装置において、画像を形成する有機電界発光パネル(OLED panel)は厚さが１ｍｍ〜１．５ｍｍ程度にしかならないため、有機電界発光パネルを支持する構造物が必要である。従来では、このような構造物として上部シャーシと下部シャーシとを使用するのが一般的であり、有機電界発光パネルを上部シャーシと下部シャーシとの間に収容し、上部シャーシと下部シャーシとをネジなどを用いて固定する。
【０００４】
ところが、このような従来の支持方法は、シャーシの使用によって表示装置の厚さが大きく増加して重くなる問題と共に、上部シャーシと下部シャーシとの組み立てが複雑であるという問題がある。
【発明の開示】
【発明が解決しようとする課題】
【０００５】
そこで、本発明の目的は、厚さが薄く、組み立てが簡単な表示装置を提供することにある。
【課題を解決するための手段】
【０００６】
前記本発明の目的は、内部に収納空間を形成し、前面と背面のうちの少なくとも１つが開放されてディスプレイ領域を定義し、一側に前記収納空間と外部とを連通するスリットが形成されているケースと、前記ケースの前記スリットを通過して前記収納空間にスライド収納される有機電界発光パネルとを含む表示装置によって提供される。
前記有機電界発光パネルに接続されている駆動部をさらに含み、前記駆動部の少なくとも一部は前記スリットを通じて前記ケース外部に露出されていることが好ましい。
【０００７】
収納された前記有機電界発光パネルが収納方向の逆方向に移動できないように、前記有機電界発光パネルを固定するストッパをさらに含むことが好ましい。
前記ストッパは、前記スリットに隣接した前記有機電界発光パネルの側辺と接触することが好ましい。
前記ストッパは、前記ケースの背面から前記収納空間に向けて突出している係止部を含むことが好ましい。
【０００８】
前記ストッパは、前記有機電界発光パネルを上下方向に加圧することが好ましい。
前記ストッパは、前記ケースの板面から前記収納空間に向けて突出している突起を含むことが好ましい。
前記ケースには、前記有機電界発光パネルが挿入される時、挿入方向と平行な前記有機電界発光パネルの両辺をガイドするためのガイド部が形成されていることが好ましい。
【０００９】
前記ディスプレイ領域は前記前面と背面のうちのいずれか１つに形成され、前記前面と前記背面のうちの他の１つは前記有機電界発光パネルを遮蔽する遮蔽領域を形成することが好ましい。
前記遮蔽領域には貫通孔が形成されていることが好ましい。
前記ディスプレイ領域は前記前面及び背面に全て形成されることが好ましい。
【００１０】
前記ケースは一体に形成されることが好ましい。
前記ケースはプラスチック材質からなることが好ましい。
【発明の効果】
【００１１】
本発明によれば、厚さが薄く、組み立てが簡単な表示装置が提供される。
【発明を実施するための最良の形態】
【００１２】
以下、添付された図面を参照して、本発明についてさらに詳細に説明する。
いろいろな実施形態において、同一の構成要素について同一の参照番号を付けており、同一の構成要素については第１実施形態で代表的に説明し、他の実施形態では省略され得る。
図１〜図５を参照して、本発明の第１実施形態による表示装置について説明する。
【００１３】
図１は本発明の第１実施形態による表示装置の斜視図であり、図２は本発明の第１実施形態による表示装置の分解斜視図であり、図３は図１のIII-IIIによる断面図であり、図４は図１のIV-IVによる断面図であり、図５は図２のV-Vによる断面図である。
図１を見れば、表示装置１は、大体四角板状のケース１００と、ケース１００内部に収納されている有機電界発光アセンブリ(OLED assembly)２００とを含む。ここで、有機電界発光アセンブリ２００の一部分は、ケース１００の外部に露出している。
【００１４】
ケース１００は、有機電界発光パネル２１０が収納される収納空間１５０を形成している。収納空間１５０は、有機電界発光パネル２１０に対応する形状を有している。ケース１００は一体になっており、材質はプラスチックで構成することができる。
ケース１００は、板状の背面１２１、背面１２１から垂直延長された側面１３１ａ、１３１ｂ、１３１ｃ、及び各側面１３１ａ、１３１ｂ、１３１ｃからさらに垂直延長された前面１１１を含む。
【００１５】
前面１１１の中間部分は除去され、ディスプレイ領域を定義する開口部１１２を形成する。背面１２１は有機電界発光パネル２１０を遮蔽する遮蔽領域を形成する。ケース１００の一側には有機電界発光アセンブリ２００を収納するためのスリット１４１が形成されている。
有機電界発光アセンブリ２００は、有機電界発光パネル(OLED panel)２１０と、有機電界発光パネル２１０の一側に接続されている駆動部(driving part)２２０とを含む。駆動部２２０は外部回路から信号を受信して、有機電界発光パネル２１０を駆動する。
【００１６】
有機電界発光パネル２１０は、絶縁基板２１１、絶縁基板２１１上に形成されている発光部２１２、発光部２１２を覆っている保護層２１３、及び保護層２１３の上部に取り付けられている保護基板２１４を含む。発光部２１２は、低分子または高分子有機物質から構成されており、電子と正孔との結合を利用して光を発生する。保護層２１３と保護基板２１４とは、外部の衝撃が発光部２１２に伝達されることを防止し、発光部２１２を水分と空気から保護する。
【００１７】
第１実施形態においては、有機電界発光パネル２１０は発光部２１２の光が絶縁基板２１１の方向だけに出射されるボトムエミッション方式である。
有機電界発光パネル２１０は、発光部２１２の光を外部に出射する第１面２３０ａ、第１面２３０ａと対向する第２面２３０ｂ、収納方向と平行であり互いに対向する第３面２３０ｃ及び第４面２３０ｄ、収納方向の前方に位置する第５面２３０ｅ、そして第５面２３０ｅと対向し、駆動部２２０に隣接した第６面２３０ｆから構成されている。
【００１８】
駆動部２２０は、絶縁基板２１１上に装着されている駆動チップ２２１、駆動チップ２２１に接続されている連結ＦＰＣ２２２、連結ＦＰＣ２２２を通じて駆動チップ２２１と接続されている駆動ＦＰＣ２２３、及び外部回路と接続されて信号を駆動ＦＰＣ２２３に伝達する外部連結部２２４を含む。連結ＦＰＣ２２２部分は折曲することによりケース１００の背面１２１方向に延長することができる。以上の駆動部２２０は、駆動チップ２２１がＣＯＧ(chip on glass)方式で形成されたものであり、本発明は駆動チップ２２１がＣＯＦ(chip on film)方式で有機電界発光パネル２１０に装着される場合などにも適用可能である。
【００１９】
有機電界発光アセンブリ２００は、光を出射する第１面２３０ａがケース１００の前面１１１に形成された開口部１１２に向くように配置された後、ケース１００の収納空間１５０にスライド収納される。収納過程で有機電界発光パネル２１０の第３面２３０ｃ及び第４面２３０ｄは、収納方向と平行になるように配置される。収納された状態で有機電界発光パネル２１０の第１面２３０ａの周縁のうちの一部は、ケースの前面１１１によって覆われるようになる。
【００２０】
ケース１００には、有機電界発光パネル２１０の収納が安定的に行われ、収納された有機電界発光パネル２１０がケース１００から離脱することを防止するために、ガイド部１１３とストッパ１２５ａとを有する。
ガイド部１１３は、図４に示したように、有機電界発光パネル２１０の第３面２３０ｃ及び第４面２３０ｄに隣接した前面１１１から収納空間１５０に向けて突出している。ガイド部１１３は、有機電界発光パネル２１０の両端部とケース１００との間の間隔を最小化することで、収納の際に有機電界発光パネル２１０が安定的に収納できるようにする。
【００２１】
ガイド部１１３は、収納空間１５０の高さが有機電界発光パネル２１０の厚さより比較的大きい場合に有用であり、収納空間１５０の高さが有機電界発光パネル２１０と類似する場合には、特に形成する必要はない。
ストッパ１２５ａは、図２に示したように、ケース１００の背面１２１に形成されている。ストッパ１２５ａは、背面１２１から外部に向けて延長されている連結部１２６と、連結部１２６から前面１１１に向けて突出している係止部１２７とを含む。連結部１２６は、背面１２１と一側Ａだけが連結されていて、背面１２１と連結されない他側Ｂはある程度変形が可能である。係止部１２７は、連結部１２６の他側１２６ｂから延長されていて、背面１２１と鋭角をなしている傾斜面Ｃと、傾斜面Ｃの上部から背面１２１に向けて延長されている垂直面Ｄとを含む。
【００２２】
有機電界発光パネル２１０の収納時、係止部１２７は有機電界発光パネル２１０の第２面２３０ｂとの接触によって下部に変形する。有機電界発光パネル２１０の収納が完了すると、有機電界発光パネル２１０の第６面２３０ｆは係止部１２７を経由して連結部１２６上に位置するようになり、この時、ストッパ１２５ａの変形が解除されて元の状態に復帰する。これによって、係止部１２７の垂直面Ｄは有機電界発光パネル２１０の第６面２３０ｆと対面するようになる。
【００２３】
この状態で有機電界発光パネル２１０が収納方向の逆方向に進行、つまり、ケース１００から離脱しようとする時、係止部１２７が有機電界発光パネル２１０の第６面２３０fと接触して有機電界発光パネル２１０の動きを制限する。
実施形態と異なって、ストッパ１２５ａは前面１１１に設けることができ、係止部１２７の形状は半球型など多様に変形することができる。また、ストッパ１２５ａはケース１００と別に製作して、ケース１００に結合することもできる。
【００２４】
以上の第１実施形態による表示装置は、次のような長所を有する。
第一に、ケース１００と有機電界発光アセンブリ２００との組み立てが簡単である。つまり、有機電界発光アセンブリ２００をケース１００にスライドさせて収納することで組み立てが完成する。これは、従来のシャーシを利用し、ねじなどを利用して結合する方式に比べて非常に簡単な方法である。
【００２５】
第二に、表示装置１の厚さ（図３のｄ１）を減少することができる。有機電界発光アセンブリ２００は、液晶表示装置と異なってバックライトを要しないため、薄型であるという長所がある。しかし、有機電界発光アセンブリ２００をシャーシに収納する場合、ねじ結合空間の確保などのために、長所である薄型を生かし難い。本発明によれば、表示装置の製造時にねじが必要ないため、表示装置１の厚さを最小化することができる。
【００２６】
第三に、本発明のケース１００はプラスチック成形で容易に製造できるので、原価を節減できる。また、金属材質のシャーシと比べて表示装置１の重さを減少することができる。
図６と図７はそれぞれ本発明の第２実施形態と第３実施形態による表示装置の断面図である。
【００２７】
図６に示した第２実施形態において、ストッパ１２５ｂは前面１１１から背面１２１に向けて突出している突起である。ストッパ１２５ｂは半球型または半円筒型に形成することができる。有機電界発光パネル２１０は、ストッパ１２５ｂと背面１２１との間に位置するようになり、ストッパ１２５ｂは有機電界発光パネル２１０を垂直方向に加圧して、有機電界発光パネル２１０の動きを制限する。
【００２８】
ストッパ１２５ｂは、収納方向の前方に位置したケース１００の側面１３１ｃに隣接するように位置しているが、これは有機電界発光パネル２１０の収納の中間過程では影響を与えないようにするためである。つまり、ストッパ１２５ｂは、有機電界発光パネル２１０の収納が完了する際に作用する。
図７に示した第３実施形態では第２実施形態のように、ストッパ１２５ｃは前面１１１から背面１２１に向けて突出して突起である。ストッパ１２５ｃは半球型または半円筒型に形成できる。ストッパ１２５ｃは第２実施形態とは異なって、ケース１００の対向する両側面１３１ａ、３１ｂに隣接するように形成されている。
【００２９】
ストッパ１２５ｃは、ケース１００の第３面１３１ｃ近傍に形成することが好ましいが、これは有機電界発光パネル２１０の収納の中間過程では影響を与えないためである。
図８と図９はそれぞれ本発明の第４実施形態と第５実施形態による表示装置の斜視図である。
図８に示した第４実施形態によれば、ケース１００の背面１２１に貫通孔１２２が複数個形成されている。有機電界発光パネル２１０を駆動すれば、多くの熱が発生する。この熱を適切に放出させなければ有機電界発光パネル２１０を構成する素子が劣化して表示品質が低下する。背面１２１に形成された貫通孔１２２は、有機電界発光パネル２１０で発生した熱が対流を通じて外部に放出されるようにする。
【００３０】
図９に示した第５実施形態によれば、ケース１００の背面１２１も一部除去されて開口部１２３を形成し、この開口部１２３はまた他のディスプレイ領域を形成する。これによって、ケース１００には前面１１１と背面１２１のいずれにもディスプレイ領域が形成される。
有機電界発光パネル２１０の発光部２１２で発生した光は、全ての方向に進行する。発光部２１２の上部と下部に位置した構成要素が透明であれば、有機電界発光パネル２１０の両面で画面を具現することが可能である。
【００３１】
本発明による表示装置１は、携帯電話のようなポータブル電子機器、コンピューターのモニタ、テレビジョンに使用することができ、用途により最終表示セットの形態と表示装置１に入力される信号とは多様に変形できる。
図１０は本発明による表示装置を利用した最終表示セットを示した斜視図である。
本発明による表示装置１は、前面カバー３１０と背面カバー３２０との間に収容される。
【００３２】
前面カバー３１０には表示装置１のディスプレイ領域が露出されるように開口部３１１が形成されており、背面カバー３２０と対向する部分に結合突起３１２が形成されている。
背面カバー３２０には表示装置１で発生する熱を除去するための貫通孔３２１が形成されており、前面カバー３１０の結合突起３１２に対応する結合溝が形成されている。前面カバー３１０と背面カバー３２０とは結合突起３１２と結合溝によって相互結合される。
【００３３】
表示装置１の背面に延長された外部連結部２２４は、連結ケーブル３３２に接続されている連結ジャック３３１と結合されて信号を受信する。連結ケーブル３３２は、例えば、コンピューター本体に接続され得る。
たとえ本発明のいくつかの実施形態を図示して説明したが、本発明が属する技術分野の通常の知識を有する当業者であれば、本発明の原則や精神から逸脱せずに本実施形態を変形することができることが分かる。本発明の範囲は添付された請求項とその均等物によって決められなければならない。
【図面の簡単な説明】
【００３４】
【図１】本発明の第１実施形態による表示装置の斜視図である。
【図２】本発明の第１実施形態による表示装置の分解斜視図である。
【図３】図１のIII-IIIによる断面図である。
【図４】図１のIV-IVによる断面図である。
【図５】図２のV-Vによる断面図である。
【図６】本発明の第２実施形態による表示装置の断面図である。
【図７】本発明の第３実施形態による表示装置の断面図である。
【図８】本発明の第４実施形態による表示装置の斜視図である。
【図９】本発明の第５実施形態による表示装置の斜視図である。
【図１０】本発明による表示装置を利用した最終表示セットを示した斜視図である。
【符号の説明】
【００３５】
１００  ケース
１１１  前面
１２１  背面
１２５  ストッパ
１３１ａ、１３１ｂ、１３１ｃ  側面
１４１  スリット
２００  有機電界発光アセンブリ
２１０  有機電界発光パネル
２２０  駆動部
【図１】
2007122053.tif 000003
【図２】
2007122053.tif 000004
【図３】
2007122053.tif 000005
【図４】
2007122053.tif 000006
【図５】
2007122053.tif 000007
【図６】
2007122053.tif 000008
【図７】
2007122053.tif 000009
【図８】
2007122053.tif 000010
【図９】
2007122053.tif 000011
【図１０】
2007122053.tif 000012